(57)【要約】      （修正有）【課題】偽造防止テープを提供する。【解決手段】基材１と、基材１の１つの表面に形成された識別層３と、基材１の表面より離れた識別層３に形成された粘着層４と、を備えている偽造防止テープであって、所定の間隔を置いて基材１、識別層２、粘着層４のそれぞれに対応して設けられた複数の切断ライン５を有することを特徴とする。これにより、使用者が偽造防止テープの所定の範囲を切断ライン５により容易に切断することが可能になる。【選択図】図１
0003148506.tif 000002
【実用新案登録請求の範囲】
【請求項１】
シール状態の完全性を識別するために被シール物に適用される偽造防止テープであって、
基材と、
前記基材の１つの表面に形成された少なくとも１つの識別層と、
前記基材の表面より離れた前記識別層に形成された粘着層と、
所定の間隔を置いて前記基材、前記識別層、前記粘着層のそれぞれに対応して設けられた複数の切断ラインと、
を備えていることを特徴とする偽造防止テープ。
【請求項２】
前記識別層は、前記基材の１つの表面に局部形成された第１の識別層と、前記基材上における前記第１の識別層と同側にある表面に局部形成され、前記第１の識別層と交錯して設けられた第２の識別層と、を含むことを特徴とする請求項１に記載の偽造防止テープ。
【請求項３】
前記粘着層が、前記第１の識別層及び前記第２の識別層の前記基材に対向する表面に貼合され、粘膜層と接着層とを含むことを特徴とする請求項２に記載の偽造防止テープ。
【請求項４】
前記第２の識別層の前記粘膜層に対する粘着力が、前記粘膜層の前記接着層に対する粘着力より小さく、しかも前記接着層の被シール物に対する粘着力より小さいが、前記基材の前記第１の識別層に対する粘着力が、前記第１の識別層の前記第２の識別層に対する粘着力より大きく、前記第１の識別層の前記第２の識別層に対する粘着力が、前記粘着層の前記第２の識別層に対する粘着力より小さいことを特徴とする請求項３に記載の偽造防止テープ。
【請求項５】
識別層として前記基材の裏面側に印刷された印字層と、前記印字層に形成された空隙と、識別層として前記印字層及び前記空隙内に塗布された固着色層と、を含み、
前記固着色層と前記粘着層との間に非離脱層が塗布されていることを特徴とする請求項１に記載の偽造防止テープ。
【請求項６】
前記粘着層の前記固着色層に対する粘着力が、前記固着色層の前記印字層に対する粘着力より大きいが、前記固着色層の前記基材に対する粘着力より小さいことを特徴とする請求項５に記載の偽造防止テープ。
【請求項７】
識別層として前記基材の裏面側に印刷された印字層と、前記印字層に形成された空隙と、識別層として前記印字層及び前記空隙内に塗布された固着色層と、を含み、
前記粘着層が、粘膜層と接着層とを備えていることを特徴とする請求項１に記載の偽造防止テープ。
【請求項８】
前記印字層の前記固着色層に対する粘着力が、前記粘膜層の前記固着色層に対する粘着力より小さく、しかも前記基材の前記印字層に対する粘着力より小さいが、前記基材の前記固着色層に対する粘着力が、前記粘膜層の前記固着色層に対する粘着力より大きいことを特徴とする請求項７に記載の偽造防止テープ。
【請求項９】
前記切断ラインが、前記偽造防止テープに垂直しリニア配列された間隔穿通孔、リニア圧印模様、リニア凹溝、リニア凹点、及びリニア凹所からなるグループのいずれか１つから選択されることを特徴とする請求項１に記載の偽造防止テープ。
【請求項１０】
前記基材、及び前記識別層に設けられた少なくとも１つの目視識別部をさらに備えていることを特徴とする請求項１に記載の偽造防止テープ。
【考案の詳細な説明】
【技術分野】
【０００１】
本考案は偽造防止テープに関し、より詳しくは、所定の範囲を容易に切断できる偽造防止テープに関するものである。
【背景技術】
【０００２】
ハイテクの発展や消費者の包装安全性への要求が高まっていることに伴い、偽造防止機能を有する偽造防止紙、偽造防止薄膜及び偽造防止テープ等は、製品の特性に応じて例えば重要書類袋、宅配便袋、現金袋、裁判所証拠品袋、電子商品、規制薬品、証明書類、パッケージ、ダンボール、引き出し、セーフティボックス、レッカー移動の車輌に貼りつけるシールとして広汎に応用されている。
【０００３】
偽造防止テープは、テープの基材の裏面に偽造防止標示を有する識別層として少なくとも１層のコーティングが塗布され、この識別層の上に粘着層として接着剤が塗布されることによって、前記偽造防止テープで物品の上にシールされるようになっている。
【０００４】
また、前記識別層と前記粘着層の間の粘着度を前記識別層と前記基材の間の粘着度よりも大きくしていることで、前記物品より前記偽造防止テープの基材を引き剥がした後、前記識別層上の偽造防止標示が被シール物上に残り、これによりシール状態の完全性を識別することが可能になる。
【０００５】
ただし、従来の偽造防止テープでは、前記基材が引き剥がされた後、シールされたシール口が完全性を失ってしまうため、物品をシール状態に再び保持することができず、機密の保守に不利である。
【０００６】
上記した従来の偽造防止テープの欠点を解決するために、本出願人は、１９９９年１０月１１日に偽造防止テープを実用新案として台湾で出願しており、２００１年５月１日に公告番号４３３２７９号として公告されている。この偽造防止テープは、基材裏面に印字層が印刷され、該印字層上及び該基材上に印字層がない箇所には固着色層が塗布されている。該印字層及び該固着色層は、偽造防止標示を有する識別層であり、該固着色層上に粘着層として粘膜層及び接着層が順次に形成されることで、偽造防止テープがシールしたい物品の上に粘着されるようになっている。
【０００７】
上記印字層の上記固着色層に対する粘着力が、上記粘膜層の該固着色層に対する粘着力より小さく、しかも該印字層の該固着色層に対する粘着力が、基材の印字層に対する粘着力より小さいが、基材の固着色層に対する粘着力が、粘膜層の固着色層に対する粘着力より大きい。このため、偽造防止テープにはシール状態がはっきり表示され、基材が引き剥がされたとしても、粘膜層が被シール物に粘着されているため、シール口の密封を保持することができる。
【０００８】
ただし、偽造防止テープの各層の側辺は平滑な辺縁であり、一般の基材はプラスチック製のシートであってよい。この場合、使用者が、巻かれた巻きテープ上において該偽造防止テープの一部を分離しようとすると、カッティングにハサミまたはそれに類したカッティング工具を使う必要があり、使用の上で極めて不便である。
【０００９】
また、被シール物がシールされた後、シールの完全性を保持するために、該被シール物を任意に開けて物品の情報を得ることができないため、使用者には極めて不便であることがあった。このように、使用者は、通常、被シール物の情報に関する張り紙を別途に粘着しなければならず、非常に手間がかかり、張り紙を粘着するスペースのない被シール物であれば、このような問題をこの方法により解決することができず、使用者には不具合があった。
【００１０】
上記のように、従来の偽造防止テープは、実際の使用上において不便や不具合があり、改善すべき余地が残されている。
【００１１】
従って、上記の事情を鑑み、本考案者において鋭意検討を行った結果、上記の不具合を合理的且つ効果的に解決することができることを見出し、本考案を完成するに至った。
【考案の開示】
【考案が解決しようとする課題】
【００１２】
そこで、以上のとおりの事情に鑑み、本考案は、局部を容易に切断することができる偽造防止テープを提供することを課題とする。
【００１３】
また、本考案は、外観の識別により物品の情報を得ることが可能な偽造防止テープを提供することを課題とする。
【課題を解決するための手段】
【００１４】
上記の課題を解決するために、本考案に係る偽造防止テープは、シール状態の完全性を識別するために被シール物に適用される偽造防止テープであって、基材と、この基材の１つの表面に形成された少なくとも１つの識別層と、前記基材の表面より離れた前記識別層に形成された粘着層と、所定の間隔を置いて前記基材、識別層及び粘着層のそれぞれに対応して設けられた複数の切断ラインと、を備えていることを特徴とする。
【００１５】
前記切断ラインは、偽造防止テープに垂直しリニア配列された間隔穿通孔、リニア圧印模様、リニア凹溝、リニア凹点、及びリニア凹所からなるグループのいずれか１つである。好ましくは、前述した偽造防止テープは、前記基材、第１の識別層及び第２の識別層に設けられた少なくとも１層の目視識別部をさらに備えている。
【００１６】
従来の技術と比較して、本考案は、構造の異なる偽造防止テープに適用されており、偽造防止テープの局部を切断ラインにより容易に切断できるため、使用者の使用時の利便性が向上する。また、目視識別部を該偽造防止テープに設けることにより、被シール物の識別の利便性を向上することができる。
【００１７】
上記のように、本考案の技術の適用により、使用者は、ハサミやそれに類した工具を使用することなく、偽造防止テープの局部を容易に切断し、被シール物の情報を目視により識別することができるようになるため、従来技術の各種の欠点を解決することができる。
【考案を実施するための最良の形態】
【００１８】
以下、特定の具体的な実施例により本考案の実施形態を説明する。明細書に記載の内容からは、この技術分野に精通した者なら本考案のその他の利点や効果が簡単に理解できる。
【第１の実施例】
【００１９】
図１〜図３は、本考案に係る偽造防止テープの第１の実施例に基づいて描かれた図を模式的に示したものである。図１に示すように、本実施例に係る偽造防止テープは、シール状態の完全性を識別するために被シール物に適用されており、基材１と、基材１の１つの表面に局部形成された第１の識別層２と、基材１上における第１の識別層２と同側の表面に局部形成され、第１の識別層２と交錯して設けられた第２の識別層３と、第１の識別層２及び第２の識別層３の基材１に対向する表面に貼合された粘着層４と、所定の間隔を置いて基材１、第１の識別層２、第２の識別層３及び粘着層４のそれぞれに対応して設けられた複数の切断ライン５（ここでは１つのみの切断ライン５を示す）と、を備えている。
【００２０】
前述した基材１は、引き剥がされた後、その裏面に表示された識別層が容易に観察できるように、例えば、透明又は半透明状のプラスチックシート材料からなる。
【００２１】
第１の識別層２は、色や透明度が前述した基材１と同一であり、基材１との間に粘着性を有する樹脂材料であり、引き剥がし状態を識別することを表示するための標示を印刷技術により基材１の裏面に印刷するものである。
【００２２】
第２の識別層３は、前述した基材１から偽造防止テープが引き剥がされた後、シール状態がはっきり識別できるように、基材１及び第１の識別層２と異なるいずれかの色のインキを使用することができる。また、被シール物をシールする場合の識別として、第２の識別層３には複数の目視識別部６が設けられている。
【００２３】
図２ａに示すように、切断ライン５の２本置きに１つの目視識別部６が第２の識別層３に設けられているが、その他の実施例において、切断ライン５の１つ以上置きに目視識別部６を設けてもよい。本実施例において、目視識別部６は、第２の識別層３の一部を掘り除くことにより形成されたものであるが、これに限定されるものではない。また、目視識別部６は、例えば、使用者が被シール物の情報、例えば被シール物がどの番号の箱であるかを識別できるように、シリーズ番号であってもよいが、これに限定されるものではない。例として、目視識別部６は、「衣類」、「光ディスク」、「書籍」、「食器」、「機密書類」等のパターンや文字やそれと均等の標示であってもよく、この目視識別部６により使用者は被シール物が何であるかを識別することができるようになる。
【００２４】
また、目視識別部６は、偽造防止テープのその他の層に設けられてもよい。例えば図３に示すように、目視識別部６として基材１の一部を掘り除いてもよい。目視識別部６は、同様に、被シール物の情報のパターンや文字やそれと均等の標示であっでもよい。また、目視識別部６上にいずれの色も塗布せず、基材１そのものの色のみを表示させてもよいが、これに限定されるものではない。
【００２５】
つまり、目視識別部６は、基材１、第１の識別層２及び第２の識別層３のいずれかに設けられてよく、使用者が目視識別部６を見れば被シール物が何であるかを判明できるものであればよい。また、目視識別部６は、基材１、第１の識別層２及び第２の識別層３のいずれにも対応して設けられ、本実施例に限定されるものではない。また、目視識別部６が基材１、第１の識別層２及び第２の識別層３のいずれか又は全部に設けられる技術は、所属する技術領域において通常知識を有する者なら容易に理解して実施し得るものであるため、ここでは詳しい説明を省略する。
【００２６】
粘着層４は、粘膜層４ａ及び接着層４ｂを含み、粘膜層４ａは粘性を有する薄膜からなり、基材１が偽造防止テープより引き剥がされた後、第１の識別層２に形成された色を固着し、粘膜層４ａにより被シール物上に粘着することができる。上記偽造防止テープが被シール物上に粘着されるために、接着層４ｂは、例えば、接着剤により粘膜層４ａ上に塗布される。
【００２７】
第２の識別層３の粘膜層４ａに対する粘着力が、粘膜層４ａの接着層４ｂに対する粘着力より小さく、しかも接着層４ｂの被シール物に対する粘着力より小さいが、基材１の第１の識別層２に対する粘着力が、第１の識別層２の第２の識別層３に対する粘着力より大きく、第１の識別層２の第２の識別層３に対する粘着力が、粘着層４の第２の識別層３に対する粘着力より小さいため、図２ｂに示すように、偽造防止テープが引き剥がされた場合、粘着力の大きさの差異により、第１の識別層２と第１の識別層２との間の第２の識別層３が基材１とともに偽造防止テープより離脱し、もともと第１の識別層２上にあった第２の識別層３が第１の識別層２から離脱し、粘着層４の粘膜層４ａ上に残される。粘膜層４ａが接着層４ｂの作用により被シール物にそのまま粘着され、図２ａに示すように、第２の識別層３のみが現れるため、上から下へ観察すれば、すでに引き剥がされて露出した標示（例えばＶＯＩＤ）が表示され、偽造防止テープが引き剥がされたことをはっきり識別することができる。
【００２８】
再び図２ａを見ると、切断ライン５は、偽造防止テープに垂直し、リニア配列された間隔に孔を通して構成される。こうして、図３に示すように、切断ライン５から所定の長さの偽造防止テープを局部切断することができる。当然、切断ライン５は、例えば偽造防止テープに垂直したリニア圧印模様、リニア凹溝、リニア凹点、及びリニア凹所、若しくは偽造防止テープを切断できる均等の構造であってもよく、本実施例に限定されるものではない。
【第２の実施例】
【００２９】
図４〜図６は、本考案に係る偽造防止テープの第２の実施例に基づいて描かれた図を模式的に示したものである。図４に示すように、本実施例の偽造防止テープは、透明又は半透明のプラスチックシートからなる基材１１と、基材１１の裏面側に印刷された印字層１２と、印字層１２に形成された空隙２０と、識別層として印字層１２及び空隙２０内に塗布された固着色層１３と、固着色層１３上に塗布された非離脱層１４と、非離脱層１４の表面に塗布された粘着層１５と、粘着層１５上に貼着された粘着防止紙１６と、所定の間隔をおいて基材１１、印字層１２、固着色層１３、非離脱層１４、粘着層１５及び粘着防止紙１６のそれぞれに対応して設けられた複数の切断ライン５と、を備えている。
【００３０】
基材１１は、シールとしてテープの作成に適用された材料からなってよく、形状が特に制限されないが、例えば矩形、楕円形、長帯状又はその他の適当な形状であってもよい。本実施例において、基材１１は、その裏面にある印字層１２に表示された引き剥がし標示を表面から観察できるように、透明又は半透明のものである。
【００３１】
印字層１２は、色や透明度が基材１１と同一であり、基材１１との間に粘着性を有する樹脂材料を何らかの印刷技術により基材１１の裏面に印刷するものである。本実施例において、印字層１２は、識別層として、例えば図６に示すように「開封済み」、「ＶＯＩＤ」という字、パターン、記号等の引き剥がし標示を表示させてもよい。
【００３２】
また固着色層１３は、引き剥がしを防止できる明晰度が表示されるよう、識別層として色が基材１１と印字層１２のいずれとも適当な差異があるインキにより構成されてもよい。例えば、使用者に引き剥がし防止作用を明確に知らせたい場合には、基材１１と印字層１２との色対比を深くし、部外者に引き剥がし防止作用を気づかれにくくしたい場合には、色対比を浅くしてもよい。さらに、固着色層１３及び印字層１２の粘着力が、固着色層１３及び基材１１の裏面の粘着力より小さく、かつ印字層１２上に塗布された場合、印字層１２の字、パターン、記号等の裏面とは別に、基材１１の裏面において印字層１２のない箇所及び印字層１２間の空隙２０の箇所のいずれにも固着色層１３が塗布され、基材１１が引き剥がされた場合、固着色層１３が印字層１２より分離しても、基材１１の裏面にそのまま粘着しているため、固着色層１３を対照用下色とし、固着色層１３と分離した印字層１２を基材１１の表面より識別することができる。
【００３３】
非離脱層１４は、メディア材質として固着色層１３と粘着層１５の間に塗布され、固着色層１３のインキ上に接着剤が適宜に塗布されることで粘着層１５が形成され、粘着層１５と固着色層１３の間に強力な粘着力を有して一体に結合されている。粘着層１５は、偽造防止テープが被シール物に粘着されるために、偽造防止テープを引き剥がした後、被シール物上に粘着されることなく、被シール物に再び粘着可能な材料を粘着層１５として採用することが好ましい。
【００３４】
粘着防止紙１６は、例えば従来の標示紙であり、使用時にまず粘着防止紙１６を引き剥がして、偽造防止テープを被シール物上に粘着する。偽造防止テープを引き剥がしたら、図５に示すように、粘着層１５の被シール物Ａに対する粘着力が、非離脱層１４を介して固着色層１３上に作用し、固着色層１３が同時に印字層１２及び基材１１に対して離脱する作用力が生じる。ただし、固着色層１３の基材１１に対する粘着力が、固着色層１３の印字層１２に対する粘着力より大きいため、固着色層１３と印字層１２の間が引き開けられてギャップ２１が形成されるが、固着色層１３と基材１１の間には密接状態が維持される。従って、基材１１の表面から見れば、図６に示すように、印字層１２の引き剥がし標示Ｂは上記のギャップ２１により現れ、その色は基材１１そのものの色である。この場合、図５に示すように、引き剥がされた偽造防止テープを再び被シール物Ａ上に貼着し、偽造防止テープによるシールの作用を継続させようと、引き剥がされた事実を隠蔽しようとしても、ギャップ２１が生じたため、引き剥がされた標示Ｂが基材１１の表面から表示され、引き剥がす前の状態に戻すことができなくなる。
【００３５】
第２の実施例と第１の実施例の主な差異は、第２の実施例における切断ライン５が、基材１１、印字層１２、固着色層１３、非離脱層１４、粘着層１５及び粘着防止紙１６を有する偽造防止テープに対応して設けられている点である。つまり、構造の異なる偽造防止テープであっても、切断ライン５の設置は可能である。
【００３６】
また、第２の実施例において、例えば基材１１の外表面に目視識別部６を設けてもよい。１つの例として、目視識別部６を印刷により基材１１の外表面に印刷することにより、人に知らせたい情報、例えばシリーズ番号、宛先住所等を提供できる。また、目視識別部６は、使用者が識別できるものであれば、その他の層に設けられてもよい。
【第３の実施例】
【００３７】
図７〜図９ｂは、本考案に係る偽造防止テープの第３の実施例に基づいて描かれた図を模式的に示したものである。そのうち、第２の実施例と同一の部分には同一の符号を付し、詳しい説明は省略する。
【００３８】
図７に示すように、第３の実施例の偽造防止テープは、基材１１と、識別層としての印字層１２と、印字層１２に形成された空隙２０と、識別層としての固着色層１３と、粘膜層１４ａと接着層１５ａを含む粘着層と、所定の間隔をおいて基材１１、印字層１２、固着色層１３、粘着層のそれぞれに対応して設けられた複数の切断ライン５と、目視識別部６と、を備えている。ただし、第２の実施例において、接着層１５ａの固着色層１３に対する粘着力が、固着色層１３の印字層１２に対する粘着力より大きいが、固着色層１３の基材１１に対する粘着力より小さい。第３の実施例では、非離脱層１４がなく、その印字層１２の固着色層１３に対する粘着力が、粘膜層１４ａの固着色層１３に対する粘着力より小さく、しかも基材１１の印字層１２に対する粘着力より小さいが、基材１１の固着色層１３に対する粘着力が、粘膜層１４ａの固着色層１３に対する粘着力より大きい。
【００３９】
このように、偽造防止テープを引き剥がせば、図８に示すように、接着層１５ａの被シール物Ａに対する作用力が、粘膜層１４ａを介して固着色層１３上に作用してしまうため、固着色層１３が基材１１に対して離脱する作用力が生じる。基材１１の印字層１２に対する粘着力が、印字層１２の印字層１２上にある固着色層１３の一部に対する粘着力より大きく、また印字層１２の一部の固着色層１３に対する粘着力が、粘膜層１４ａの一部の固着色層１３に対する粘着力より小さいため、このような粘着力の大きさの差異により、印字層１２及びその空隙２０内の固着色層１３の部分（即ち、固着色層１３が粘膜層１４ａより離脱する所定の部分）が、基材１１とともに偽造防止テープより離脱し、元印字層１２上の固着色層１３が印字層１２より離脱し、粘膜層１４ａ上に残され、粘膜層１４ａが接着層１５ａの作用により被シール物Ａ上に貼着されている。
【００４０】
図９ａに示すように、被シール物Ａ上の粘膜層１４ａに粘着された固着色層１３には、元印字層１２上に塗布された部分のみが残されたため、粘膜層１４ａの上方から下へと観察すれば、引き剥がされた字、パターン又は記号等の引き剥がし標示Ｂが表示され、偽造防止テープが引き剥がされたことをはっきり識別することができる。図９ｂに示すように、基材１１と共に引き剥がされた印字層１２の空隙２０内の固着色層１３の部分は、基材１１の表面上に図９ａとは逆のリバース引き剥がし標示Ｃが表示される。
【００４１】
再び図７を見ると、切断ライン５は、偽造防止テープに垂直しリニア配列された間隔穿通孔からなってよい。目視識別部６は、例えば固着色層１３が粘膜層１４ａより離脱するはずの部分に形成されている。また、目視識別部６は、例えば固着色層１３が粘膜層１４ａより離脱しない部分、粘膜層１４ａ又は接着層１５ａに設けられてもよい。このように、偽造防止テープを引き剥がしても、粘膜層１４ａを目視することにより被シール物Ａの情報を得ることができる。
【００４２】
従来の偽造防止テープと比較して、本考案に係る偽造防止テープでは、偽造防止テープの各層に形成される切断ラインが設けられることにより、偽造防止テープを所定の長さに切断することができるため、従来の偽造防止テープのように工具を使用して切断する必要があるという不便を回避することができる。また、偽造防止テープに目視識別部が設けられているため、被シール物を識別できる効果が図れる。上記のように、本考案に係る偽造防止テープは、従来の問題が十分解決されているため、高い産業利用価値がある。
【００４３】
上記のように、これらの実施例は本考案の原理及び効果・機能を例示的に説明するものであり、本考案は、これらによって限定されるものではない。本考案に係る実質的な技術内容は、下記の実用新案請求の範囲に定義される。本考案は、この技術分野に精通した者により実用新案請求の範囲を逸脱しない範囲で色々な修飾や変更をすることが可能であり、そうした修飾や変更は本考案の技術範囲に含まれるものである。
【図面の簡単な説明】
【００４４】
【図１】本考案に係る偽造防止テープの第１の実施例の側断面図である。
【図２ａ】図１の偽造防止テープの平面図であり、基材が引き剥がされた様子を示す。
【図２ｂ】図１の偽造防止テープが被シール物に粘着されてから、基材が引き剥がされたところの側断面図である。
【図３】図１の偽造防止テープを巻いて巻きテープになったところの斜視図を示す。
【図４】本考案に係る偽造防止テープの第２の実施例の側断面図である。
【図５】図４の偽造防止テープが被シール物に粘着されてから、基材が引き剥がされたところの側断面図である。
【図６】図４の偽造防止テープの平面図であり、基材が引き剥がされた様子を示す。
【図７】本考案に係る偽造防止テープの第３の実施例の側断面図である。
【図８】図７の偽造防止テープが被シール物に粘着されてから、基材が引き剥がされたところの側断面図である。
【図９ａ】基材が引き剥がされた後に、表示された引き剥がし標示及びリバース引き剥がし標示がそれぞれ現れたところの平面図である。
【図９ｂ】基材が引き剥がされた後に、表示された引き剥がし標示及びリバース引き剥がし標示がそれぞれ現れたところの平面図である。
【符号の説明】
【００４５】
１  基材
２  第１の識別層
３  第２の識別層
４  粘着層
４ａ  粘膜層
４ｂ  接着層
５  切断ライン
６  目視識別部
１１  基材
１２  印字層
１３  固着色層
１４  非離脱層
１４ａ  粘膜層
１５  粘着層
１５ａ  接着層
１６  粘着防止紙
２０  空隙
２１  ギャップ
Ａ  被シール物
Ｂ  引き剥がし標示
Ｃ  リバース引き剥がし標示
【図１】
0003148506.tif 000003
【図２ａ】
0003148506.tif 000004
【図２ｂ】
0003148506.tif 000005
【図３】
0003148506.tif 000006
【図４】
0003148506.tif 000007
【図５】
0003148506.tif 000008
【図６】
0003148506.tif 000009
【図７】
0003148506.tif 000010
【図８】
0003148506.tif 000011
【図９ａ】
0003148506.tif 000012
【図９ｂ】
0003148506.tif 000013